(57)【要約】【課題】携帯電話において、意匠パネルおよびアンテナを備えているにも拘わらず、部品点数を少なくする。【解決手段】一面に操作ボタンを有する操作部筐体６と一面に表示パネルを有する表示部筐体２とはヒンジ部を介して回動可能に連結されている。操作部筐体１の他面の所定の箇所には意匠パネル６が取り付けられるようになっている。樹脂からなる意匠パネル６の内面にはステンレス鋼等の金属からなる帯板状のアンテナ１５がインサート成形により一体成形されている。これにより、意匠パネル６およびアンテナ１５を備えているにも拘わらず、部品点数を少なくすることができる。【選択図】図３
2012138825.tif 000002
【特許請求の範囲】
【請求項１】
筐体と、前記筐体の一面に取り付けられる意匠パネルと、前記意匠パネルに一体成形されたアンテナとを備えていることを特徴とする携帯型電子機器。
【請求項２】
前記アンテナは板状であって前記意匠パネルの前記筐体の一面と対向する側の面に埋め込まれていることを特徴とする請求項１に記載の携帯型電子機器。
【請求項３】
前記意匠パネルを前記筐体の一面に取り付けた状態では、前記アンテナは前記筐体の一面に設けられた接続ピンに接触されていることを特徴とする請求項２に記載の携帯型電子機器。
【請求項４】
前記筐体は一方側の筐体部と他方側の筐体部とを備え、前記両筐体部はネジによって一体化され、前記意匠パネルは前記筐体の一面に取り付けられた状態で前記ネジの頭部を覆うようになっていることを特徴とする請求項１〜３のいずれかに記載の携帯型電子機器。
【請求項５】
前記筐体は、他面に操作ボタンが設けられた操作部筐体であり、一面に表示パネルが設けられた表示部筐体にヒンジ部を介して回動可能に取り付けられていることを特徴とする請求項１〜４のいずれかに記載の携帯型電子機器。
【発明の詳細な説明】
【技術分野】
【０００１】
この発明は携帯型電子機器に関し、特に、意匠パネルを備えた携帯型電子機器に関する。
【背景技術】
【０００２】
従来の携帯電話等の携帯型電子機器には、筐体の表面に任意の意匠パネルを取り付けることにより、筐体の表面のデザインを任意のものとすることができるようにしたものがある（例えば、特許文献１参照）。
【０００３】
この従来の携帯型電子機器では、一面に表示パネルを備えた表示部筐体と一面に操作ボタンを備えた操作部筐体とがヒンジを介して折り畳み可能に連結され、折り畳まれた状態で表示部器筐体の一面と操作部筐体の一面とが互いに対向するようになっている。そして、表示部筐体の他面（すなわち、折り畳まれた状態における外面）に任意の意匠パネルを取り付けることができるようになっている。
【先行技術文献】
【特許文献】
【０００４】
【特許文献１】特開２００４−３６２５０８号公報（図１１）
【発明の概要】
【発明が解決しようとする課題】
【０００５】
しかしながら、上記従来の携帯型電子機器では、操作部筐体に電波を送受信するためのアンテナを取り付けているが（特許文献１の第６９段落参照）、意匠パネルとアンテナとが別々の部品であるため、部品点数が多いという問題がある。
【０００６】
そこで、この発明は、意匠パネルおよびアンテナを備えているにも拘わらず、部品点数を少なくすることができる携帯型電子機器を提供することを目的とする。
【課題を解決するための手段】
【０００７】
この発明に係る携帯型電子機器は、筐体と、前記筐体の一面に取り付けられる意匠パネルと、前記意匠パネルに一体成形されたアンテナとを備えていることを特徴とするものである。
【発明の効果】
【０００８】
この発明によれば、意匠パネルにアンテナを一体成形しているので、意匠パネルおよびアンテナを備えているにも拘わらず、部品点数を少なくすることができる。
【図面の簡単な説明】
【０００９】
【図１】この発明の一実施形態としての携帯電話の斜視図。
【図２】図１に示す携帯電話を下側から見た斜視図。
【図３】意匠パネルを取り外した状態の斜視図。
【図４】図３に示すものの一部つまりネジの部分の断面図。
【図５】図３に示す意匠パネルを下側から見た斜視図。
【図６】図５のVI−VI線に沿う断面図。
【発明を実施するための形態】
【００１０】
図１はこの発明の一実施形態としての携帯電話の斜視図を示し、図２は図１に示す携帯電話を下側から見た斜視図を示す。この携帯電話では、操作部筐体１のヒンジ部２に表示部筐体３が回動可能に取り付けられている。操作部筐体１の表示部筐体３と対向する側の面（図１において上面）には各種の操作ボタン４が設けられている。表示部筐体３の操作部筐体１と対向する側の面（図１において上面）には表示パネル５が設けられている。
【００１１】
操作部筐体１の表示部筐体３と対向する側の面とは反対側の面（図２において上面）の各所定の箇所には化粧パネル６および電池カバー７が共に取り外し可能に取り付けられている。この場合、化粧パネル６には長円形状の開口部８が設けられている。そして、この開口部１１を介して、操作部筐体１の図２において上面の各所定の箇所に設けられたカメラ９、フラッシュ１０および赤外線通信部１１が露出されている。
【００１２】
次に、図３は意匠パネル６を取り外した状態の斜視図を示し、図４はその一部つまりネジ１４の部分の断面図を示す。操作部筐体１は、カメラ９等が設けられた一方の筐体部１２および他方の筐体部１３を備えている。両筐体部１２、１３は、一方の筐体部１２側から他方の筐体部１３側に向かってねじ込まれた複数本のネジ１４によって一体化されている。この場合、意匠パネル６に対応する部分にねじ込まれたネジ１４の頭部は、意匠パネル６が取り外された状態では露出されている。一方、図２に示すように、意匠パネル６を操作部筐体１に取り付けた状態では、これらのネジ１４の頭部は意匠パネル６によって覆われ、したがって意匠パネル６はネジ目隠しとしての役目も果たすことになる。
【００１３】
次に、図５は図３に示す意匠パネル６を下側から見た斜視図を示し、図６は図５のVI−VI線に沿う断面図を示す。意匠パネル６の操作部筐体１の図５において上面の所定の箇所にはステンレス鋼等の金属からなる帯板状のアンテナ１５がインサート成形により埋め込まれている。すなわち、意匠パネル６をポリカーボネート等の樹脂によってインサート成形により形成するとき、アンテナ１５は意匠パネル６の図５において上面の所定の箇所に埋め込まれ、一体化される。
【００１４】
意匠パネル６の図５において上面の所定の２箇所に設けられた突起１６の上面には両面接着テープ１７が貼り付けられている。そして、意匠パネル６の操作部筐体１への取り付けはこの両面接着テープ１７を介して行われる。意匠パネル６を他の意匠パネルと交換する場合には、当該意匠パネル６を両面接着テープ１７と共に剥離し、他の意匠パネルをそれに貼り付けられた両面接着テープを介して操作部筐体１に取り付けるようにすればよい。
【００１５】
意匠パネル６を操作部筐体１に両面接着テープ１７を介して取り付けた状態では、図３を参照して説明すると、操作部筐体１の上面の所定の２箇所に設けられた２本の接続ピン１８の上面にアンテナ１５の下面の所定の２箇所が接触されるようになっている。接続ピン１８は、操作部筐体１の内部に設けられた配線板（図示せず）に電気的に接続されている。なお、接続ピン１８は、操作部筐体１に固定されたものであってもよいが、軸方向に移動可能で、コイルスプリング等によって操作部筐体１の上面側に向かって付勢されたものである方が望ましい。
【００１６】
以上のように、この携帯電話では、意匠パネル６にアンテナ１５をインサート成形により一体成形しているので、意匠パネル６およびアンテナ１５を備えているにも拘わらず、部品点数を少なくすることができる。また、意匠パネル６の操作部筐体１と対向する側の面（図５において上面）にアンテナ１５を埋め込んでいるので、図２に示すように、意匠パネル６を操作部筐体１に取り付けた状態では、アンテナ１５が露出されず、外観が遜色しないようにすることができる。
【００１７】
なお、この発明は、携帯電話に限らず、ＰＨＳ（Personal Handyphone System）、ＰＤＡ（Personal Data Assistance, Personal Digital Assistance:個人向け携帯型情報通信機器）等の携帯端末機器であって電波の送受信を行うものにも適用することができる。
【００１８】
以下、この発明の諸態様を付記としてまとめて記載する。
【００１９】
（付記１）
付記１の発明は、筐体と、前記筐体の一面に取り付けられる意匠パネルと、前記意匠パネルに一体成形されたアンテナとを備えていることを特徴とする携帯型電子機器である。
【００２０】
（付記２）
付記２の発明は、前記アンテナは板状であって前記意匠パネルの前記筐体の一面と対向する側の面に埋め込まれていることを特徴とする付記１に記載の携帯型電子機器である。
【００２１】
（付記３）
付記３の発明は、前記意匠パネルを前記筐体の一面に取り付けた状態では、前記アンテナは前記筐体の一面に設けられた接続ピンに接触されていることを特徴とする付記２に記載の携帯型電子機器である。
【００２２】
（付記４）
付記４の発明は、前記筐体は一方側の筐体部と他方側の筐体部とを備え、前記両筐体部はネジによって一体化され、前記意匠パネルは前記筐体の一面に取り付けられた状態で前記ネジの頭部を覆うようになっていることを特徴とする付記１〜３のいずれかに記載の携帯型電子機器である。
【００２３】
（付記５）
付記５の発明は、前記筐体は、他面に操作ボタンが設けられた操作部筐体であり、一面に表示パネルが設けられた表示部筐体にヒンジ部を介して回動可能に取り付けられていることを特徴とする付記１〜４のいずれかに記載の携帯型電子機器である。
【符号の説明】
【００２４】
１  操作部筐体
２  ヒンジ部
３  表示部筐体
４  操作ボタン
５  表示パネル
６  意匠パネル
７  電池カバー
８  開口部
９  カメラ
１０  フラッシュ
１１  赤外線通信部
１２  一方の筐体部
１３  他方の筐体部
１４  ネジ
１５  アンテナ
１６  突起
１７  両面接着テープ
１８  接続ピン
【図１】
2012138825.tif 000003
【図２】
2012138825.tif 000004
【図３】
2012138825.tif 000005
【図４】
2012138825.tif 000006
【図５】
2012138825.tif 000007
【図６】
2012138825.tif 000008